(57)【特許請求の範囲】
【請求項１】
正屈折力の第１の正レンズ群と前記第１の正レンズ群の物体側に配置された負屈折力の第１の負レンズ群を有し、広角端から望遠端への変倍にて前記第１の正レンズ群と前記第１の負レンズ群との距離が狭まるズームレンズと、
前記ズームレンズによる像位置に配置され二次元配列された撮像画素列を持つ電子撮像素子とを有し、
前記ズームレンズは前記第１の負レンズ群中の最も像側のレンズから前記第１の正レンズ群中の最も像側のレンズまでの間に配置された明るさ絞りと、前記第１の正レンズ群中の最も像側のレンズよりも像側に配置された、光路中に挿脱可能、且つ樹脂製の光量低減フィルターとを有し、
以下の条件式（１）、（２）、（３）、（４）、（５）を満足することを特徴とするズームレンズを備えた撮像装置。
（ｎ１−ｎ２）×ｔ＜０．０００２ｍｍ      （１）
１．４＜ＦＮＯｍｉｎ＜２．８      （２）
２．８＜ｆｔ／ｆｗ      （３）
１μｍ＜Ｐ＜３μｍ      （４）
８×１０６＜Ｎ      （５）
ここで、
ｎ１は、前記ズームレンズの光軸上における前記光量低減フィルターの最大屈折率、
ｎ２は、前記ズームレンズの光軸上における前記光量低減フィルターの最小屈折率、
ｔは、前記光量低減フィルターの光軸上での厚み、
ＦＮＯｍｉｎは、前記ズームレンズの広角端での最小Ｆナンバー、
ｆｔは、前記ズームレンズの望遠端での焦点距離、
ｆｗは、前記ズームレンズの広角端での焦点距離、
Ｐは、前記撮像素子の撮像画素ピッチ、
Ｎは、前記撮像素子の有効撮像領域内の撮像画素数の最大値、
である。
【請求項２】
前記光量低減フィルターの像側に少なくとも一つのレンズ群を備え、
以下の条件式（６）、（７）を満足することを特徴とする請求項１に記載のズームレンズを備えた撮像装置。
１．３＜ΔＰ１／ｆｗ＜８      （６）
０≦（ｈｍａｘ−ｈｍｉｎ）／Ｐ＜０．０１      （７）
ここで、
ΔＰ１は、広角端から望遠端への変倍の際の前記第１の正レンズ群の物体側への移動量、
ｆｗは、広角端における前記ズームレンズ全系の焦点距離、
ｈｍｉｎは、広角端から望遠端への変倍域にて、光量低減フィルターよりも像側のレンズ群に（ｎ１−ｎ２）×ｔの光線高で入射する光軸に平行な光線が像面に到達する箇所の光軸からの距離の最小値、
ｈｍａｘは、広角端から望遠端への変倍域にて、光量低減フィルターよりも像側のレンズ群に（ｎ１−ｎ２）×ｔの光線高で入射する光軸に平行な光線が像面に到達する箇所の光軸からの距離の最大値、
である。
【請求項３】
前記第１の正レンズ群と前記明るさ絞りと前記光量低減フィルターは、広角端に対して望遠端にて物体側に位置するように一体で移動することを特徴とする請求項１又は請求項２に記載のズームレンズを備えた撮像装置。
【請求項４】
前記光量低減フィルターの像側のレンズ群が全体で正の屈折力を持ち、
広角端から望遠端への変倍にて、常に以下の条件式（８）を満足することを特徴とする請求項１から請求項３のいずれか１項に記載のズームレンズを備えた撮像装置。
０．９＜ｆＲＢ／ｆＢ＜１００      （８）
ここで、
ｆＲＢは、前記光量低減フィルタより前記像側のレンズ群のみによる焦点までの距離、
ｆＢは、最も像側のレンズの射出面から前記電子撮像素子の結像面までの距離、
である。
【請求項５】
前記ズームレンズは、前記光量低減フィルターよりも像側に配置された正屈折力の第２の正レンズ群を有し、前記光量低減フィルターと前記第２の正レンズ群との距離が広角端から望遠端への変倍の際に変化することを特徴とする請求項４に記載のズームレンズを備えた撮像装置。
【請求項６】
前記ズームレンズが３群ズームレンズであることを特徴とする請求項５に記載のズームレンズを備えた撮像装置。
【請求項７】
前記ズームレンズは、前記第１の負レンズ群よりも物体側に配置された正屈折力の第３の正レンズ群を有し、
広角端から望遠端への変倍の際に前記第１の負レンズ群と前記第３の正レンズ群との距離が広がることを特徴とする請求項５に記載のズームレンズを備えた撮像装置。
【請求項８】
前記ズームレンズが４群ズームレンズであることを特徴とする請求項７に記載のズームレンズを備えた撮像装置。
【請求項９】
前記ズームレンズが、前記第２の正レンズ群の像側に前記第２の正レンズ群との距離が変化するレンズ群を有することを特徴とする請求項５に記載のズームレンズを備えた撮像装置。
【請求項１０】
前記ズームレンズが４群ズームレンズであることを特徴とする請求項９に記載のズームレンズを備えた撮像装置。
【請求項１１】
前記光量低減フィルターがポリオレフィン系のフィルター材料を含むことを特徴とする請求項１から請求項９のいずれか１項に記載のズームレンズを備えた撮像装置。
【請求項１２】
前記光量低減フィルターがポリカーボネート系のフィルター材料を含むことを特徴とする請求項１から請求項９のいずれか１項に記載のズームレンズを備えた撮像装置。
【発明の詳細な説明】
【技術分野】
【０００１】
本発明は、ズームレンズを備えた撮像装置に関するものである。
【背景技術】
【０００２】
従来より、ズームレンズを備えた撮像装置が知られている。撮像装置の１フレームの撮影時の露光の調整の方法としては、露光時間と明るさ絞りのＦナンバーを制御する方法が多く用いられている。
また、動画用途に多く用いられている方法として、ズームレンズの光路中に光量低減フィルターの挿入と離脱により露光の調整を行う方法が特許文献１により知られている。
このような方法を用いることで、ズームレンズの入射瞳径を小さくしすぎることなく適正露出を得やすくなり明るい環境下でも被写界深度の小さい画像（抽象的な描写の画像）を得ることが可能となる。
【０００３】
また、焦点検出はＴＴＬ位相差方式またはＴＴＬコントラスト方式のいずれであっても、所定の入射瞳径を確保しなければならないが、明るい環境下での動画撮影時でも入射瞳径を確保したままで焦点検出が行え、動画撮影時に特にメリットがある。
特許文献１には、正屈折力のレンズ群の物体側直前に明るさ絞りが配置され、その正屈折力のレンズ群の像側直後に挿入離脱可能な光量低減フィルター（ＮＤフィルター）が配置されたズームレンズが開示されている。光量低減フィルターを明るさ絞りとともに正屈折力のレンズ群の物体側直前に配置すると、望遠端にて正レンズ群を物体側直前のレンズ群に近づけ難くなるが、特許文献１の構成では、この点を考慮して変倍比の確保に有利な構成としている。
【先行技術文献】
【特許文献】
【０００４】
【特許文献１】特開２００６−２６７８６３号公報
【発明の概要】
【発明が解決しようとする課題】
【０００５】
撮影画像をトリミングしたときの高解像画像へのニーズとして、高画素の画像が好まれている。加えて、ズームレンズを明るくすることで電気ノイズの低減にもつながり画質の向上にも有利となる。画素ピッチを小さくして高画素数を得る場合、画素ピッチを小さくし、且つズームレンズの結像性能も高めることがトリミング時の画質の維持にも有利となる。
【０００６】
一方、明るいズームレンズは収差が生じやすく、明るい、すなわちＦｎｏの小さいズームレンズほど許容錯乱円の径にズームレンズの点像の径が近づきやすい。
ズームレンズに挿入する光量低減フィルターは一般には樹脂であり、樹脂は複屈折性を持つため、点像を劣化（拡大）させる性質がある。したがって、樹脂製の光量低減フィルターの挿入により許容範囲を越える点像となると画質の劣化が無視できなくなってくる。
【０００７】
本発明は、上記に鑑みてなされたものであって、明るさを確保した状態での光量調整の際に画質の劣化の少ない高解像の画像が得られるズームレンズを備えた撮像装置を提供することを目的とする。
【課題を解決するための手段】
【０００８】
上述した課題を解決し、目的を達成するために、本発明のズームレンズを備えた撮像装置は、
正屈折力の第１の正レンズ群と第１の正レンズ群の物体側に配置された負屈折力の第１の負レンズ群を有し、広角端から望遠端への変倍にて第１の正レンズ群と第１の負レンズ群との距離が狭まるズームレンズと、
ズームレンズによる像位置に配置され二次元配列された撮像画素列を持つ電子撮像素子とを有し、
ズームレンズは第１の負レンズ群中の最も像側のレンズから第１の正レンズ群中の最も像側のレンズまでの間に配置された明るさ絞りと、第１の正レンズ群中の最も像側のレンズよりも像側に配置された、光路中に挿脱可能、且つ樹脂製の光量低減フィルターとを有し、
以下の条件式（１）、（２）、（３）、（４）、（５）を満足することを特徴としている。
（ｎ１−ｎ２）×ｔ＜０．０００２ｍｍ      （１）
１．４＜ＦＮＯｍｉｎ＜２．８      （２）
２．８＜ｆｔ／ｆｗ      （３）
１μｍ＜Ｐ＜３μｍ      （４）
８×１０６＜Ｎ      （５）
ここで、
ｎ１は、ズームレンズの光軸上における光量低減フィルターの最大屈折率、
ｎ２は、ズームレンズの光軸上における光量低減フィルターの最小屈折率、
ｔは、光量低減フィルターの光軸上での厚み、
ＦＮＯｍｉｎは、ズームレンズの広角端での最小Ｆナンバー、
ｆｔは、ズームレンズの望遠端での焦点距離、
ｆｗは、ズームレンズの広角端での焦点距離、
Ｐは、撮像素子の撮像画素ピッチ、
Ｎは、撮像素子の有効撮像領域内の撮像画素数の最大値、
である。
ここで、ｎ１及びｎ２は、ｄ−ｌｉｎｅ（５８７．５６ｎｍ）における屈折率である。
【０００９】
ズームレンズの物体側は軸上光束がほぼ平行ではあるが、有効径が大きく、光量低減フィルターの挿入離脱を行う構成をとりにくい。これに対して、第１の正レンズ群付近は有効径が小さく、軸上光束を平行としやすく、光量低減フィルターの配置に適している。しかし、光量低減フィルターを第１の正レンズ群の物体側に配置すると望遠端にて第１の正レンズ群を第１の負レンズ群に近づけ難くなり、変倍比の確保には不利となってくる。
そこで本発明のズームレンズを備えた撮像装置では第１の正レンズ群の像側に光量低減フィルターを配置している。
【００１０】
さらに、上述の条件式（１）、（２）、（３）、（４）、及び（５）を同時に満足することを特徴としている。
条件式（１）は複屈折性を示す光量低減フィルターの好ましい構成を特定するものである。
光量低減フィルターが条件式（１）の上限値を上回らないように構成することで、条件式（２）から条件式（５）を満たす撮像装置に使用しても、フィルター挿入時の複屈折への影響を低減しやすくできる。
【００１１】
条件式（２）はズームレンズの好ましい明るさを特定するものである。
条件式（２）の下限値を下回らないように明るさを適度に抑えることで球面収差の発生を抑えやすくなり、収差補正のためのレンズ枚数の増加を抑えつつもフィルターの複屈折の影響を許容した設計を行い易くなる。
条件式（２）の上限値を上回らないようにしてズームレンズの明るさを確保することで、フィルター離脱時の明るさ確保に有利となる。また、フィルター装着時の被写界深度の浅い撮影を行える。
なお、条件式（２）の上限値を上回るとズームレンズの結像性能の確保が容易となり、条件式（１）の意義は薄くなる。
【００１２】
条件式（３）はズームレンズの好ましい変倍比を特定するものである。
条件式（３）の下限値を下回らないように変倍比を確保することで撮影画角の変更により種々シチュエーションでの撮影が楽しめる。
撮像装置の小型化の観点からは、条件式（３）の上限値を２５．０とすることが好ましい。
【００１３】
条件式（４）は、撮像素子の好ましい撮像画素ピッチを特定するものである。
条件式（４）の下限値を下回らないようにすると、１画素あたりの受光面積を確保することで、電気ノイズの低減に有利となる。
条件式（４）の上限値を上回らないようにすると、撮像画素ピッチを抑えることで、トリミングした際の画質の低下を低減させる。
【００１４】
条件式（５）は撮像素子の有効撮像領域内の好ましい撮像画素数を特定するものである。
条件式（５）の下限値を下回らないように画素数を確保することでトリミングした際の画質の低下を低減させる。
記録のためのメモリ容量を抑えやすくするためには、条件式（５）の上限値を２１×１０６とすることが好ましい。
【００１５】
なお、上述の構成は、ズームレンズがフォーカシング機構を持つ場合は最も遠距離に合焦した状態での構成とする。
また、光量低減フィルターのｎ１、ｎ２は材料を引っ張る向き、製造時の配置等により調整が可能である。
【００１６】
本発明のズームレンズを備えた撮像装置においては、光量低減フィルターの像側に少なくとも一つのレンズ群を備え、以下の条件式（６）、（７）を満足することが好ましい。
１．３＜ΔＰ１／ｆｗ＜８      （６）
０≦（ｈｍａｘ−ｈｍｉｎ）／Ｐ＜０．０１      （７）
ここで、
ΔＰ１は、広角端から望遠端への変倍の際の第１の正レンズ群の物体側への移動量、
ｆｗは、広角端におけるズームレンズ全系の焦点距離、
ｈｍｉｎは、広角端から望遠端への変倍域にて、光量低減フィルターよりも像側のレンズ群に（ｎ１−ｎ２）×ｔの光線高で入射する光軸に平行な光線が像面に到達する箇所の光軸からの距離の最小値、
ｈｍａｘは、広角端から望遠端への変倍域にて、光量低減フィルターよりも像側のレンズ群に（ｎ１−ｎ2）×ｔの光線高で入射する光軸に平行な光線が像面に到達する箇所の光軸からの距離の最大値、
である。
【００１７】
変倍比を確保しながらも、広角端から望遠端にかけて、複屈折による影響の変化が小さいことが好ましい。そのためには、光量低減フィルターよりも物体側の光学系にて変倍比を確保し、光量低減フィルターよりも像側の光学系では光量低減フィルターの影響の変化を抑えることが好ましい。
【００１８】
条件式（６）は、第１の正レンズ群の増倍機能を高めるための条件である。
条件式（６）の下限値を下回らないようにして第１の正レンズの移動量を確保することで、小型化と変倍比の確保につながる。
条件式（６）の上限値を上回らないように第１の正レンズの移動量を適度に抑えることで装置全体の小型化につながる。
【００１９】
条件式（７）は、光量低減フィルターよりも像側の光学系の好ましい特性を特定するものである。
条件式（７）の下限値を下回ることは無い。
条件式（７）の上限値を上回らないようにして、光量低減フィルターの複屈折の影響の変倍における変化を抑えるようにズームレンズを設計することが好ましい。
【００２０】
本発明のズームレンズを備えた撮像装置においては、第１の正レンズ群と明るさ絞りと光量低減フィルターは、広角端に対して望遠端にて物体側に位置するように一体で移動することが好ましい。
これにより、第１の正レンズ群と光低減フィルターの有効径を小さくしやすくなり明るさの確保と小型化の両立に有利となる。
【００２１】
本発明のズームレンズを備えた撮像装置においては、光量低減フィルターの像側のレンズ群が全体で正の屈折力を持ち、広角端から望遠端への変倍にて、常に以下の条件式（８）を満足することが好ましい。
０．９＜ｆＲＢ／ｆＢ＜１００      （８）
ここで、
ｆＲＢは、光量低減フィルタより像側のレンズ群のみによる焦点までの距離、
ｆＢは、最も像側のレンズの射出面から電子撮像素子の結像面までの距離、
である。
【００２２】
条件式（８）は、このような構成としたときの好ましいズームレンズの構成を特定するものである。
条件式（８）の下限値を下回らないようにすることで、複屈折の影響の低減に一層有利となる。
条件式（８）の上限値を上回らないようにすることで、像側へのテレセントリックな構成に近づけやすくなり画質向上につながる。
【００２３】
本発明のズームレンズを備えた撮像装置においては、ズームレンズは、光量低減フィルターよりも像側に配置された正屈折力の第２の正レンズ群を有し、光量低減フィルターと第２の正レンズ群との距離が広角端から望遠端への変倍の際に変化することが好ましい。
これにより、射出瞳を撮像素子から離しやすく構成でき、シェーディングの発生を抑えやすくなる。
【００２４】
本発明のズームレンズを備えた撮像装置においては、上述の、光量低減フィルターよりも像側に配置された正屈折力の第２の正レンズ群を有し、光量低減フィルターと第２の正レンズ群との距離が広角端から望遠端への変倍の際に変化する、ズームレンズは、３群ズームレンズであることが好ましい。
【００２５】
本発明のズームレンズを備えた撮像装置においては、ズームレンズは、第１の負レンズ群よりも物体側に配置された正屈折力の第３の正レンズ群を有し、広角端から望遠端への変倍の際に第１の負レンズ群と第３の正レンズ群との距離が広がることが好ましい。
第１の負レンズ群に変倍機能を持たせられ、変倍比の確保に有利となる。加えて、望遠端での明るさの確保にも有利となる。
さらに、上述の、第１の負レンズ群よりも物体側に配置された正屈折力の第３の正レンズ群を有し、広角端から望遠端への変倍の際に第１の負レンズ群と第３の正レンズ群との距離が広がる、ズームレンズは、４群ズームレンズであることが好ましい。
【００２６】
本発明のズームレンズを備えた撮像装置においては、ズームレンズが、第２の正レンズ群の像側に第２の正レンズ群との距離が変化するレンズ群を有することが好ましい。
この構成により、像面の平坦性の確保に有利となる。
さらに、上述の、第２の正レンズ群の像側に第２の正レンズ群との距離が変化するレンズ群を有するズームレンズは、４群ズームレンズであることが好ましい。
【００２７】
本発明のズームレンズを備えた撮像装置においては、光量低減フィルターがポリオレフィン系のフィルター材料を含むことが好ましい。
【００２８】
本発明のズームレンズを備えた撮像装置においては、光量低減フィルターがポリカーボネート系のフィルター材料を含むことが好ましい。
【００２９】
条件式（１）については、上限値を０．０００１６、更には０．０００１３、更には０．０００１０、更には０．００００５、更には０．００００２、更には０．００００１とすることがより好ましい。
【００３０】
条件式（２）については、下限値を１．６、更には１．８とすることがより好ましい。
条件式（２）の上限値は、２．４、更には２．２とすることがより好ましい。
【００３１】
条件式（３）については、下限値を３．２、更には３．６とすることがより好ましい。
条件式（３）の上限値は、２５．０、更には１５．０、更には８．０とすることがより好ましい。
【００３２】
条件式（４）については、下限値を１．３、更には１．６とすることがより好ましい。
条件式（４）の上限値は、２．７、更には２．４とすることがより好ましい。
【００３３】
条件式（５）については、下限値を９×１０６、更には９．５×１０６とすることがより好ましい。
条件式（５）の値は、２１×１０６以下とすることが好ましく、更には１８×１０６以下、更には１６×１０６以下とすることがより好ましい。
【００３４】
条件式（６）については、下限値を１．４、更には１．５とすることがより好ましい。
条件式（６）の上限値は、６、更には５とすることがより好ましい。
【００３５】
条件式（７）については、上限値を０．００８、更には０．００６とすることがより好ましい。
【００３６】
条件式（８）については、下限値を１、更には２とすることがより好ましい。
条件式（８）の上限値は、５０、更には３０とすることがより好ましい。
【発明の効果】
【００３７】
本発明にかかるズームレンズを備えた撮像装置は、明るい、すなわちＦｎｏの小さいズームレンズでの光量調整の際に画質の劣化の少ない高解像の画像が得られる、という効果を奏する。
【図面の簡単な説明】
【００３８】
【図１】本発明のズームレンズの実施例１の無限遠物点合焦時の広角端でのレンズ断面図、並びに、広角端から中間状態への移動軌跡、及び、中間状態から望遠端への移動軌跡を順に示した図である。（ａ）は光量低減フィルターＦが光路内に配置されている状態を示し、（ｂ）は光量低減フィルターＦが光路外へ退避している状態を示す。
【図２】本発明のズームレンズの実施例２の無限遠物点合焦時の広角端でのレンズ断面図、並びに、広角端から中間状態への移動軌跡、及び、中間状態から望遠端への移動軌跡を順に示した図である。（ａ）は光量低減フィルターＦが光路内に配置されている状態を示し、（ｂ）は光量低減フィルターＦが光路外へ退避している状態を示す。
【図３】本発明のズームレンズの実施例３の無限遠物点合焦時の広角端でのレンズ断面図、並びに、広角端から中間状態への移動軌跡、及び、中間状態から望遠端への移動軌跡を順に示した図である。（ａ）は光量低減フィルターＦが光路内に配置されている状態を示し、（ｂ）は光量低減フィルターＦが光路外へ退避している状態を示す。
【図４】本発明のズームレンズの実施例４の無限遠物点合焦時の広角端でのレンズ断面図、並びに、広角端から中間状態への移動軌跡、及び、中間状態から望遠端への移動軌跡を順に示した図である。（ａ）は光量低減フィルターＦが光路内に配置されている状態を示し、（ｂ）は光量低減フィルターＦが光路外へ退避している状態を示す。
【図５】本発明のズームレンズの実施例５の無限遠物点合焦時の広角端でのレンズ断面図、並びに、広角端から中間状態への移動軌跡、及び、中間状態から望遠端への移動軌跡を順に示した図である。（ａ）は光量低減フィルターＦが光路内に配置されている状態を示し、（ｂ）は光量低減フィルターＦが光路外へ退避している状態を示す。
【図６】本発明のズームレンズの実施例６の無限遠物点合焦時の広角端でのレンズ断面図、並びに、広角端から中間状態への移動軌跡、及び、中間状態から望遠端への移動軌跡を順に示した図である。（ａ）は光量低減フィルターＦが光路内に配置されている状態を示し、（ｂ）は光量低減フィルターＦが光路外へ退避している状態を示す。
【図７】本発明のズームレンズの実施例７の無限遠物点合焦時の広角端でのレンズ断面図、並びに、広角端から中間状態への移動軌跡、及び、中間状態から望遠端への移動軌跡を順に示した図である。（ａ）は光量低減フィルターＦが光路内に配置されている状態を示し、（ｂ）は光量低減フィルターＦが光路外へ退避している状態を示す。
【図８】本発明のズームレンズの実施例８の無限遠物点合焦時の広角端でのレンズ断面図、並びに、広角端から中間状態への移動軌跡、及び、中間状態から望遠端への移動軌跡を順に示した図である。（ａ）は光量低減フィルターＦが光路内に配置されている状態を示し、（ｂ）は光量低減フィルターＦが光路外へ退避している状態を示す。
【図９】実施例１において光量低減フィルターＦが光路中に配置された状態の無限遠物点合焦時の収差図である。
【図１０】実施例１において光量低減フィルターＦが光路外に退避した状態の無限遠物点合焦時の収差図である。
【図１１】実施例２において光量低減フィルターＦが光路中に配置された状態の無限遠物点合焦時の収差図である。
【図１２】実施例２において光量低減フィルターＦが光路外に退避した状態の無限遠物点合焦時の収差図である。
【図１３】実施例３において光量低減フィルターＦが光路中に配置された状態の無限遠物点合焦時の収差図である。
【図１４】実施例３において光量低減フィルターＦが光路外に退避した状態の無限遠物点合焦時の収差図である。
【図１５】実施例４において光量低減フィルターＦが光路中に配置された状態の無限遠物点合焦時の収差図である。
【図１６】実施例４において光量低減フィルターＦが光路外に退避した状態の無限遠物点合焦時の収差図である。
【図１７】実施例５において光量低減フィルターＦが光路中に配置された状態の無限遠物点合焦時の収差図である。
【図１８】実施例５において光量低減フィルターＦが光路外に退避した状態の無限遠物点合焦時の収差図である。
【図１９】実施例６において光量低減フィルターＦが光路中に配置された状態の無限遠物点合焦時の収差図である。
【図２０】実施例６において光量低減フィルターＦが光路外に退避した状態の無限遠物点合焦時の収差図である。
【図２１】実施例７において光量低減フィルターＦが光路中に配置された状態の無限遠物点合焦時の収差図である。
【図２２】実施例７において光量低減フィルターＦが光路外に退避した状態の無限遠物点合焦時の収差図である。
【図２３】実施例８において光量低減フィルターＦが光路中に配置された状態の無限遠物点合焦時の収差図である。
【図２４】実施例８において光量低減フィルターＦが光路外に退避した状態の無限遠物点合焦時の収差図である。
【図２５】本発明のズームレンズを組み込んだ撮像装置の断面図である。
【図２６】本発明のデジタルカメラの外観を示す前方斜視図である。
【図２７】本発明のデジタルカメラの外観を示す後方斜視図である。
【図２８】本発明のデジタルカメラの主要部の内部回路を示すブロック図である。
【発明を実施するための形態】
【００３９】
以下に、本発明にかかるズームレンズを備えた撮像装置の実施例を図面に基づいて詳細に説明する。なお、この実施例によりこの発明が限定されるものではない。
【実施例】
【００４０】
以下、本発明のズームレンズの実施例１〜８について説明する。実施例１〜８の無限遠物点合焦時の広角端でのレンズ断面図をそれぞれ図１〜図８に示す。図１〜図８中、第１レンズ群はＧ１、第２レンズ群はＧ２、第３レンズ群はＧ３、第４レンズ群はＧ４、明るさ（開口）絞りはＳ、複屈折性を持つ樹脂製の光量低減フィルターはＦ、像面はＩで示してある。また、図１〜８の（ａ）は光量低減フィルターＦを光路中に配置した状態を示し、（ｂ）は光量低減フィルターＦを光路から退避させた状態を示す。光量低減フィルターＦは、フィルター移動部Ｍによって、択一的に光路中に挿脱される。
【００４１】
また、明るさ絞りＳ及び光量低減フィルターＦは、実施例１、２においては第３レンズ群Ｇ３と一体で移動し、実施例３〜８では第２レンズ群Ｇ２と一体で移動する。数値データはいずれも無限遠の被写体に合焦した状態でのデータである。各数値の長さの単位はｍｍ、角度の単位は°（度）である。フォーカシングは、実施例１、２では第４レンズ群Ｇ４の移動により、実施例３〜８においては第３レンズ群Ｇ３の移動により、行う。さらに、ズームデータは広角端（ＷＥ）、本発明で定義する中間ズーム状態（ＳＴ）、望遠端（ＴＥ）での値である。
【００４２】
実施例１のズームレンズは、図１に示すように、物体側から順に、正の屈折力の第１レンズ群Ｇ１と、負の屈折力の第２レンズ群Ｇ２と、明るさ（開口）絞りＳと、正の屈折力の第３レンズ群Ｇ３と、光量低減フィルターＦと、正の屈折力の第４レンズ群Ｇ４と、を配置している。
ここで、第１レンズ群Ｇ１は正屈折力の第３の正レンズ群、第２レンズ群Ｇ２は負屈折力の第１の負レンズ群、第３レンズ群Ｇ３は正屈折力の第１の正レンズ群、第４レンズ群Ｇ４は正屈折力の第２の正レンズ群である。
【００４３】
広角端から望遠端への変倍に際して、第１レンズ群Ｇ１は像側へ移動した後に物体側へ移動する。第２レンズ群Ｇ２は像側へ移動する。第３レンズ群Ｇ３は物体側へ移動する。第４レンズ群Ｇ４は物体側へ移動した後に像側へ移動する。
遠距離物点から近距離物点への合焦動作は、第４レンズ群Ｇ４を物体側に移動させて行う。
【００４４】
物体側から順に、第１レンズ群Ｇ１は、物体側に凸面を向けた負メニスカスレンズと物体側に凸面を向けた正メニスカスレンズの接合レンズからなる。第２レンズ群Ｇ２は、物体側に凸面を向けた負メニスカスレンズと、両凹負レンズと、両凸正レンズと、からなる。第３レンズ群Ｇ３は、両凸正レンズと、物体側に凸面を向けた正メニスカスレンズと物体側に凸面を向けた負メニスカスレンズの接合レンズと、両凹負レンズと両凸正レンズの接合レンズと、からなる。第４レンズ群Ｇ４は、物体側に凸面を向けた正メニスカスレンズからなる。
【００４５】
非球面は、第２レンズ群Ｇ２の両凹負レンズの両面と、第３レンズ群Ｇ３の物体側の両凸正レンズの両面と像側の両凸正レンズの像側の面と、第４レンズ群Ｇ４の正メニスカスレンズの物体側の面と、の６面に設けられている。
【００４６】
実施例２のズームレンズは、図２に示すように、物体側から順に、正の屈折力の第１レンズ群Ｇ１と、負の屈折力の第２レンズ群Ｇ２と、明るさ（開口）絞りＳと、正の屈折力の第３レンズ群Ｇ３と、光量低減フィルターＦと、正の屈折力の第４レンズ群Ｇ４と、を配置している。
ここで、第１レンズ群Ｇ１は正屈折力の第３の正レンズ群、第２レンズ群Ｇ２は負屈折力の第１の負レンズ群、第３レンズ群Ｇ３は正屈折力の第１の正レンズ群、第４レンズ群Ｇ４は正屈折力の第２の正レンズ群である。
【００４７】
広角端から望遠端への変倍に際して、第１レンズ群Ｇ１は像側へ移動した後に物体側へ移動する。第２レンズ群Ｇ２は像側へ移動した後に物体側へ移動する。第３レンズ群Ｇ３は物体側へ移動する。第４レンズ群Ｇ４は物体側へ移動した後に像側へ移動する。
遠距離物点から近距離物点への合焦動作は、第４レンズ群Ｇ４を物体側に移動させて行う。
【００４８】
物体側から順に、第１レンズ群Ｇ１は、物体側に凸面を向けた負メニスカスレンズと物体側に凸面を向けた正メニスカスレンズの接合レンズからなる。第２レンズ群Ｇ２は、物体側に凸面を向けた負メニスカスレンズと、両凹負レンズと、両凸正レンズと、からなる。第３レンズ群Ｇ３は、両凸正レンズと、物体側に凸面を向けた正メニスカスレンズと物体側に凸面を向けた負メニスカスレンズの接合レンズと、両凹負レンズと両凸正レンズの接合レンズと、からなる。第４レンズ群Ｇ４は、両凸正レンズと両凹負レンズの接合レンズからなる。
【００４９】
非球面は、第２レンズ群Ｇ２の両凹負レンズの両面と、第３レンズ群Ｇ３の物体側の両凸正レンズの両面と像側の両凸正レンズの像側の面と、第４レンズ群Ｇ４の両凸正レンズの物体側の面と、の６面に設けられている。
【００５０】
実施例３のズームレンズは、図３に示すように、物体側から順に、負の屈折力の第１レンズ群Ｇ１と、明るさ（開口）絞りＳと、正の屈折力の第２レンズ群Ｇ２と、光量低減フィルターＦと、正の屈折力の第３レンズ群Ｇ３と、正の屈折力の第４レンズ群Ｇ４と、を配置している。
ここで、第１レンズ群Ｇ１は負屈折力の第１の負レンズ群、第２レンズ群Ｇ２は正屈折力の第１の正レンズ群、第３レンズ群Ｇ３は正屈折力の第２の正レンズ群、第４レンズ群Ｇ４は第２の正レンズ群との距離が変化するレンズ群である。
【００５１】
広角端から望遠端への変倍に際して、第１レンズ群Ｇ１は像側へ移動した後に物体側へ移動する。第２レンズ群Ｇ２は物体側へ移動する。第３レンズ群Ｇ３は物体側へ移動した後に像側へ移動する。第４レンズ群Ｇ４は固定されている。
遠距離物点から近距離物点への合焦動作は、第３レンズ群Ｇ３を物体側に移動させて行う。
【００５２】
物体側から順に、第１レンズ群Ｇ１は、物体側に凸面を向けた負メニスカスレンズと、両凹負レンズと、物体側に凸面を向けた正メニスカスレンズと、からなる。第２レンズ群Ｇ２は、物体側に凸面を向けた正メニスカスレンズと、物体側に凸面を向けた正メニスカスレンズと物体側に凸面を向けた負メニスカスレンズの接合レンズと、両凹負レンズと両凸正レンズの接合レンズと、からなる。第３レンズ群Ｇ３は、両凸正レンズと像側に凸面を向けた負メニスカスレンズの接合レンズからなる。第４レンズ群Ｇ４は、物体側に凸面を向けた正メニスカスレンズからなる。
【００５３】
非球面は、第１レンズ群Ｇ１の負メニスカスレンズの像側の面と、第２レンズ群Ｇ２の物体側の正メニスカスレンズの両面と両凸正レンズの像側の面と、第４レンズ群Ｇ４の正メニスカスレンズの物体側の面と、の５面に設けられている。
【００５４】
実施例４のズームレンズは、図４に示すように、物体側から順に、負の屈折力の第１レンズ群Ｇ１と、明るさ（開口）絞りＳと、正の屈折力の第２レンズ群Ｇ２と、光量低減フィルターＦと、正の屈折力の第３レンズ群Ｇ３と、正の屈折力の第４レンズ群Ｇ４と、を配置している。
ここで、第１レンズ群Ｇ１は負屈折力の第１の負レンズ群、第２レンズ群Ｇ２は正屈折力の第１の正レンズ群、第３レンズ群Ｇ３は正屈折力の第２の正レンズ群、第４レンズ群Ｇ４は第２の正レンズ群との距離が変化するレンズ群である。
【００５５】
広角端から望遠端への変倍に際して、第１レンズ群Ｇ１は像側へ移動した後に物体側へ移動する。第２レンズ群Ｇ２は物体側へ移動する。第３レンズ群Ｇ３は物体側へ移動した後に像側へ移動する。第４レンズ群Ｇ４は固定されている。
遠距離物点から近距離物点への合焦動作は、第３レンズ群Ｇ３を物体側に移動させて行う。
【００５６】
物体側から順に、第１レンズ群Ｇ１は、両凹負レンズと、物体側に凸面を向けた正メニスカスレンズと、からなる。第２レンズ群Ｇ２は、両凸正レンズと、物体側に凸面を向けた正メニスカスレンズと物体側に凸面を向けた負メニスカスレンズの接合レンズと、両凹負レンズと両凸正レンズの接合レンズと、からなる。第３レンズ群Ｇ３は、両凸正レンズと像側に凸面を向けた負メニスカスレンズの接合レンズからなる。第４レンズ群Ｇ４は、物体側に凸面を向けた正メニスカスレンズからなる。
【００５７】
非球面は、第１レンズ群Ｇ１の両凹負レンズの両面と、第２レンズ群Ｇ２の物体側の両凸正レンズの両面と像側の両凸正レンズの像側の面と、第４レンズ群Ｇ４の正メニスカスレンズの物体側の面と、の６面に設けられている。
【００５８】
実施例５のズームレンズは、図５に示すように、物体側から順に、負の屈折力の第１レンズ群Ｇ１と、明るさ（開口）絞りＳと、正の屈折力の第２レンズ群Ｇ２と、光量低減フィルターＦと、正の屈折力の第３レンズ群Ｇ３と、正の屈折力の第４レンズ群Ｇ４と、を配置している。
ここで、第１レンズ群Ｇ１は負屈折力の第１の負レンズ群、第２レンズ群Ｇ２は正屈折力の第１の正レンズ群、第３レンズ群Ｇ３は正屈折力の第２の正レンズ群、第４レンズ群Ｇ４は第２の正レンズ群との距離が変化するレンズ群である。
【００５９】
広角端から望遠端への変倍に際して、第１レンズ群Ｇ１は像側へ移動した後に物体側へ移動する。第２レンズ群Ｇ２は物体側へ移動する。第３レンズ群Ｇ３は物体側へ移動した後に像側へ移動する。第４レンズ群Ｇ４は固定されている。
遠距離物点から近距離物点への合焦動作は、第３レンズ群Ｇ３を物体側に移動させて行う。
【００６０】
物体側から順に、第１レンズ群Ｇ１は、両凹負レンズと、物体側に凸面を向けた正メニスカスレンズと、からなる。第２レンズ群Ｇ２は、両凸正レンズと、物体側に凸面を向けた正メニスカスレンズと物体側に凸面を向けた負メニスカスレンズの接合レンズと、両凹負レンズと両凸正レンズの接合レンズと、からなる。第３レンズ群Ｇ３は、両凸正レンズと像側に凸面を向けた負メニスカスレンズの接合レンズからなる。第４レンズ群Ｇ４は、物体側に凸面を向けた正メニスカスレンズからなる。
【００６１】
非球面は、第１レンズ群Ｇ１の両凹負レンズの両面と、第２レンズ群Ｇ２の物体側の両凸正レンズの両面と像側の両凸正レンズの像側の面と、第４レンズ群Ｇ４の正メニスカスレンズの物体側の面と、の６面に設けられている。
【００６２】
実施例６のズームレンズは、図６に示すように、物体側から順に、負の屈折力の第１レンズ群Ｇ１と、明るさ（開口）絞りＳと、正の屈折力の第２レンズ群Ｇ２と、光量低減フィルターＦと、正の屈折力の第３レンズ群Ｇ３と、正の屈折力の第４レンズ群Ｇ４と、を配置している。
ここで、第１レンズ群Ｇ１は負屈折力の第１の負レンズ群、第２レンズ群Ｇ２は正屈折力の第１の正レンズ群、第３レンズ群Ｇ３は正屈折力の第２の正レンズ群、第４レンズ群Ｇ４は第２の正レンズ群との距離が変化するレンズ群である。
【００６３】
広角端から望遠端への変倍に際して、第１レンズ群Ｇ１は像側へ移動した後に物体側へ移動する。第２レンズ群Ｇ２は物体側へ移動する。第３レンズ群Ｇ３は物体側へ移動した後に像側へ移動する。第４レンズ群Ｇ４は固定されている。
遠距離物点から近距離物点への合焦動作は、第３レンズ群Ｇ３を物体側に移動させて行う。
【００６４】
物体側から順に、第１レンズ群Ｇ１は、物体側に凸面を向けた負メニスカスレンズと、両凹負レンズと、物体側に凸面を向けた正メニスカスレンズと、からなる。第２レンズ群Ｇ２は、両凸正レンズと、物体側に凸面を向けた正メニスカスレンズと物体側に凸面を向けた負メニスカスレンズの接合レンズと、両凹負レンズと両凸正レンズの接合レンズと、からなる。第３レンズ群Ｇ３は、両凸正レンズからなる。第４レンズ群Ｇ４は、物体側に凸面を向けた正メニスカスレンズからなる。
【００６５】
非球面は、第１レンズ群Ｇ１の負メニスカスレンズの像側の面と、第２レンズ群Ｇ２の物体側の両凸正レンズの両面と像側の両凸正レンズの像側の面と、第４レンズ群Ｇ４の正メニスカスレンズの物体側の面と、の５面に設けられている。
【００６６】
実施例７のズームレンズは、図７に示すように、物体側から順に、負の屈折力の第１レンズ群Ｇ１と、明るさ（開口）絞りＳと、正の屈折力の第２レンズ群Ｇ２と、光量低減フィルターＦと、正の屈折力の第３レンズ群Ｇ３と、負の屈折力の第４レンズ群Ｇ４と、を配置している。
ここで、第１レンズ群Ｇ１は負屈折力の第１の負レンズ群、第２レンズ群Ｇ２は正屈折力の第１の正レンズ群、第３レンズ群Ｇ３は正屈折力の第２の正レンズ群、第４レンズ群Ｇ４は第２の正レンズ群との距離が変化するレンズ群である。
【００６７】
広角端から望遠端への変倍に際して、第１レンズ群Ｇ１は像側へ移動した後に物体側へ移動する。第２レンズ群Ｇ２は物体側へ移動する。第３レンズ群Ｇ３は物体側へ移動した後に像側へ移動する。第４レンズ群Ｇ４は固定されている。
遠距離物点から近距離物点への合焦動作は、第３レンズ群Ｇ３を物体側に移動させて行う。
【００６８】
物体側から順に、第１レンズ群Ｇ１は、物体側に凸面を向けた負メニスカスレンズと、両凹負レンズと、物体側に凸面を向けた正メニスカスレンズと、からなる。第２レンズ群Ｇ２は、物体側に凸面を向けた正メニスカスレンズと、物体側に凸面を向けた正メニスカスレンズと物体側に凸面を向けた負メニスカスレンズの接合レンズと、両凹負レンズと両凸正レンズの接合レンズと、からなる。第３レンズ群Ｇ３は、両凸正レンズからなる。第４レンズ群Ｇ４は、像側に平面を向けた平凹負レンズからなる。
【００６９】
非球面は、第１レンズ群Ｇ１の負メニスカスレンズの像側の面と、第２レンズ群Ｇ２の物体側の正メニスカスレンズの両面と両凸正レンズの像側の面と、第４レンズ群Ｇ４の平凹負レンズの物体側の面と、の５面に設けられている。
【００７０】
実施例８のズームレンズは、図８に示すように、物体側から順に、負の屈折力の第１レンズ群Ｇ１と、明るさ（開口）絞りＳと、正の屈折力の第２レンズ群Ｇ２と、光量低減フィルターＦと、正の屈折力の第３レンズ群Ｇ３と、を配置している。
ここで、第１レンズ群Ｇ１は負屈折力の第１の負レンズ群、第２レンズ群Ｇ２は正屈折力の第１の正レンズ群、第３レンズ群Ｇ３は正屈折力の第２の正レンズ群である。
【００７１】
広角端から望遠端への変倍に際して、第１レンズ群Ｇ１は像側へ移動した後に物体側へ移動する。第２レンズ群Ｇ２は物体側へ移動する。第３レンズ群Ｇ３は物体側へ移動した後に像側へ移動する。
遠距離物点から近距離物点への合焦動作は、第３レンズ群Ｇ３を物体側に移動させて行う。
【００７２】
物体側から順に、第１レンズ群Ｇ１は、物体側に凸面を向けた負メニスカスレンズと、物体側に凸面を向けた負メニスカスレンズと、物体側に凸面を向けた正メニスカスレンズと、からなる。第２レンズ群Ｇ２は、物体側に凸面を向けた正メニスカスレンズと、物体側に凸面を向けた正メニスカスレンズと物体側に凸面を向けた負メニスカスレンズの接合レンズと、両凹負レンズと両凸正レンズの接合レンズと、からなる。第３レンズ群Ｇ３は、両凸正レンズからなる。
【００７３】
非球面は、第１レンズ群Ｇ１の物体側の負メニスカスレンズの像側の面と、第２レンズ群Ｇ２の物体側の正メニスカスレンズの両面と両凸正レンズの像側の面と、第３レンズ群Ｇ３の両凸正レンズの物体側の面と、の５面に設けられている。
【００７４】
以下に、上記各実施例の数値データを示す。記号は上記の外、ｆ１、ｆ２…は各レンズ群の焦点距離、ＦＮＯ．はＦナンバー、ωは半画角、ｒは各レンズ面の曲率半径、ｄは各レンズ面間の間隔、ｎｄは各レンズのｄ線の屈折率、νｄは各レンズのアッベ数である。後述するレンズ全長は、レンズ最前面からレンズ最終面までの距離にバックフォーカスを加えたものである。ｆｂ（バックフォーカス）は、レンズ最終面から近軸像面までの距離を空気換算して表したものである。
【００７５】
また、各非球面形状は、各実施例における各非球面係数を用いて、以下の式（Ｉ）で表される。
但し、光軸方向の座標をＺ、光軸と垂直な方向の座標をＹとする。
Ｚ＝（Ｙ２／ｒ）／［１＋｛１−（１＋Ｋ）・（Ｙ／ｒ）２｝１／２］＋Ａ４×Ｙ４＋Ａ６×Ｙ６＋Ａ８×Ｙ８＋Ａ１０×Ｙ１０＋Ａ１２×Ｙ１２      （Ｉ）
ここで、
ｒは近軸曲率半径、
Ｋは円錐係数、
Ａ４、Ａ６、Ａ８、Ａ１０、Ａ１２はそれぞれ４次、６次、８次、１０次、１２次の非球面係数である。
また、非球面係数において、「ｅ−ｎ」（ｎは整数）は、「１０−ｎ」を示している。
【００７６】
数値実施例１（光量低減フィルターＦが光路中に配置された状態）
単位ｍｍ
面データ
面番号      r          d         nd        νd    
物面       ∞         ∞
1      32.407      1.00     1.94595    17.98
2      24.711      3.71     1.81600    46.62
3     181.957      可変  
4      62.535      1.00     1.88300    40.76
5       8.539      4.99
6*    -35.795      0.80     1.58313    59.38
7*     15.195      1.40
8      23.234      2.08     2.00069    25.46
9    -202.836      可変
10(絞り)  ∞        0.50
11*     11.020      2.44     1.58313    59.38
12*    -53.044      0.10
13       9.183      2.40     1.80100    34.97
14      17.413      0.70     1.80518    25.42
15       6.265      1.80
16     -40.899      0.70     1.69895    30.13
17      12.775      2.64     1.49700    81.61
18*    -10.249      0.50
19        ∞        0.10     1.59000    30.00
20        ∞        可変
21*     12.126      2.49     1.49700    81.54
22      63.255      可変
像面（撮像面）∞
非球面データ
第６面
k=0.000
A4=8.82324e-05,A6=-3.16588e-06,A8=3.95523e-08,A10=-3.06841e-10  
第７面
k=0.000
A4=-2.34654e-05,A6=-3.40520e-06,A8=3.18367e-08,A10=-1.86747e-10  
第１１面
k=0.000
A4=-5.09661e-05,A6=-4.13815e-08,A8=-5.03716e-09  
第１２面
k=0.000
A4=1.14214e-04,A6=8.07123e-08  
第１８面
k=0.000
A4=-8.26480e-06,A6=3.14590e-07,A8=-8.73720e-08  
第２１面
k=0.000
A4=-2.99323e-05,A6=2.94977e-08  
ズームデータ
広角     中間2      望遠     中間1     中間3
焦点距離           6.05     12.70     23.46      8.21     18.73
ＦＮＯ．           1.82      2.14      2.43      1.95      2.31
画角２ω          78.50     40.00     21.98     59.90     27.54
fb (in air)        7.37      9.00      8.30      8.13      9.21
全長 (in air)     60.49     57.99     65.85     57.26     62.17
d3                 0.30      7.62     16.02      2.82     12.89  
d9                21.11      6.50      1.10     13.63      2.44  
d20                2.36      5.53     11.09      3.33      8.27  
d22                7.37      9.00      8.30      8.13      9.21  
群焦点距離
f1=50.47    f2=-11.67    f3=16.15    f4=29.71   
【００７７】
数値実施例１（光量低減フィルターＦが光路外に退避した状態）
なお、以下、すべての数値実施例において、光量低減フィルターが光路から退避した状態では、光量低減フィルターが挿入されていた位置は仮想面として示している。
単位ｍｍ
面データ
面番号      r          d         nd        νd    
物面       ∞         ∞
1      32.407      1.00     1.94595    17.98
2      24.711      3.71     1.81600    46.62
3     181.957      可変  
4      62.535      1.00     1.88300    40.76
5       8.539      4.99
6*    -35.795      0.80     1.58313    59.38
7*     15.195      1.40
8      23.234      2.08     2.00069    25.46
9    -202.836      可変
10(絞り)  ∞        0.50
11*     11.020      2.44     1.58313    59.38
12*    -53.044      0.10
13       9.183      2.40     1.80100    34.97
14      17.413      0.70     1.80518    25.42
15       6.265      1.80
16     -40.899      0.70     1.69895    30.13
17      12.775      2.64     1.49700    81.61
18*    -10.249      0.50
19        ∞        0.10
20        ∞        可変
21*     12.126      2.49     1.49700    81.54
22      63.255      可変
像面（撮像面）∞
非球面データ
第６面
k=0.000
A4=8.82324e-05,A6=-3.16588e-06,A8=3.95523e-08,A10=-3.06841e-10  
第７面
k=0.000
A4=-2.34654e-05,A6=-3.40520e-06,A8=3.18367e-08,A10=-1.86747e-10  
第１１面
k=0.000
A4=-5.09661e-05,A6=-4.13815e-08,A8=-5.03716e-09  
第１２面
k=0.000
A4=1.14214e-04,A6=8.07123e-08  
第１８面
k=0.000
A4=-8.26480e-06,A6=3.14590e-07,A8=-8.73720e-08  
第２１面
k=0.000
A4=-2.99323e-05,A6=2.94977e-08  
ズームデータ
広角     中間2      望遠     中間1     中間3
焦点距離           6.06     12.72     23.50      8.22     18.76
ＦＮＯ．           1.85      2.19      2.54      1.97      2.39
画角２ω          78.40     39.95     21.95     59.82     27.50
fb (in air)        7.33      8.97      8.27      8.10      9.19
全長 (in air)     60.49     57.99     65.85     57.26     62.17
d3                 0.30      7.62     16.02      2.82     12.89  
d9                21.11      6.50      1.10     13.63      2.44  
d20                2.40      5.55     11.12      3.36      8.30  
d22                7.33      8.97      8.27      8.10      9.19  
群焦点距離
f1=50.47    f2=-11.67    f3=16.15    f4=29.71   
【００７８】
数値実施例２（光量低減フィルターＦが光路中に配置された状態）
単位ｍｍ
面データ
面番号      r          d         nd        νd    
物面       ∞         ∞
1      34.234      1.00     1.94595    17.98
2      26.431      3.40     1.81600    46.62
3     304.697      可変
4      58.742      1.00     1.88300    40.76
5       8.027      4.28
6*    -37.316      1.00     1.69350    53.21
7*     27.854      1.53
8      25.275      1.91     1.92286    20.88
9   -1287.866      可変
10(絞り)  ∞        0.50
11*     14.062      2.11     1.85135    40.10
12*   -229.434      0.17
13       8.396      2.43     1.58913    61.14
14      25.547      0.70     1.74077    27.79
15       6.543      1.66
16     -45.415      0.70     1.76182    26.52
17      13.788      2.50     1.58313    59.38
18*    -12.682      0.50
19        ∞        0.10     1.51000    57.00
20        ∞        可変
21*     14.086      3.00     1.74320    49.34
22     -61.445      0.80     1.69895    30.13
23      50.317      可変
像面（撮像面）∞
非球面データ
第６面
k=0.000
A4=1.22305e-04,A6=-3.78786e-06,A8=1.63670e-08,A10=-3.83663e-10  
第７面
k=0.000
A4=4.70833e-05,A6=-3.49825e-06,A8=-1.99464e-08,A10=2.89545e-10  
第１１面
k=-0.862
A4=5.16574e-05,A6=1.85386e-07  
第１２面
k=0.000
A4=9.42257e-05  
第１８面
k=0.000
A4=1.62250e-05,A6=1.15230e-07  
第２１面
k=0.000
A4=-5.48767e-06  
ズームデータ
広角     中間2      望遠     中間1     中間3
焦点距離           6.05     12.71     23.46      8.17     18.76
ＦＮＯ．           1.85      2.18      2.59      1.97      2.42
画角２ω          78.10     39.65     21.87     59.70     27.47
fb (in air)        5.44      7.37      7.17      6.35      8.10
全長 (in air)     59.89     59.47     68.50     57.53     63.90
d3                 0.48      7.72     14.78      2.99     11.70  
d9                19.49      6.24      1.19     12.74      2.09  
d20                5.18      8.84     16.06      6.16     12.72  
d23                5.44      7.37      7.17      6.35      8.10  
群焦点距離
f1=49.36    f2=-10.76    f3=15.93    f4=24.31   
【００７９】
数値実施例２（光量低減フィルターＦが光路外に退避した状態）
単位ｍｍ
面データ
面番号      r          d         nd        νd    
物面       ∞         ∞
1      34.234      1.00     1.94595    17.98
2      26.431      3.40     1.81600    46.62
3     304.697      可変  
4      58.742      1.00     1.88300    40.76
5       8.027      4.28
6*    -37.316      1.00     1.69350    53.21
7*     27.854      1.53
8      25.275      1.91     1.92286    20.88
9   -1287.866      可変
10(絞り)  ∞        0.50
11*     14.062      2.11     1.85135    40.10
12*   -229.434      0.17
13       8.396      2.43     1.58913    61.14
14      25.547      0.70     1.74077    27.79
15       6.543      1.66
16     -45.415      0.70     1.76182    26.52
17      13.788      2.50     1.58313    59.38
18*    -12.682      0.50
19        ∞        0.10
20        ∞        可変
21*     14.086      3.00     1.74320    49.34
22     -61.445      0.80     1.69895    30.13
23      50.317      可変
像面（撮像面）∞
非球面データ
第６面
k=0.000
A4=1.22305e-04,A6=-3.78786e-06,A8=1.63670e-08,A10=-3.83663e-10  
第７面
k=0.000
A4=4.70833e-05,A6=-3.49825e-06,A8=-1.99464e-08,A10=2.89545e-10  
第１１面
k=-0.862
A4=5.16574e-05,A6=1.85386e-07  
第１２面
k=0.000
A4=9.42257e-05  
第１８面
k=0.000
A4=1.62250e-05,A6=1.15230e-07  
第２１面
k=0.000
A4=-5.48767e-06  
ズームデータ
広角     中間2      望遠     中間1     中間3
焦点距離           6.06     12.73     23.49      8.18     18.78
ＦＮＯ．           1.88      2.23      2.71      2.00      2.51
画角２ω          77.99     39.60     21.84     59.63     27.44
fb (in air)        5.41      7.35      7.15      6.33      8.09
全長 (in air)     59.89     59.47     68.50     57.53     63.90
d3                 0.48      7.72     14.78      2.99     11.70  
d9                19.49      6.24      1.19     12.74      2.09  
d20                5.21      8.86     16.08      6.18     12.74  
d23                5.41      7.35      7.15      6.33      8.09  
群焦点距離
f1=49.36    f2=-10.76    f3=15.93    f4=24.31   
【００８０】
数値実施例３（光量低減フィルターＦが光路中に配置された状態）
単位ｍｍ
面データ
面番号      r          d         nd        νd    
物面       ∞         ∞
1      25.291      1.30     1.69350    53.21
2*     11.457      4.65
3     -91.230      1.20     1.88300    40.76
4      16.522      2.89
5      23.937      2.50     2.00069    25.46
6     156.171      可変
7(絞り)  ∞        0.34
8*     14.471      2.02     1.74320    49.34
9*    113.908      0.10
10       8.370      2.60     1.77250    49.60
11      16.442      0.80     1.78470    26.29
12       6.111      1.98
13    -140.383      0.70     1.60342    38.03
14      14.170      2.39     1.51633    64.14
15*    -17.560      0.50
16        ∞        0.10     1.59000    30.00
17        ∞        可変
18      26.031      2.90     1.72916    54.68
19     -19.182      0.70     1.75520    27.51
20    -109.567      可変
21*     30.351      1.50     1.58313    59.38
22      39.738      可変
像面（撮像面）∞
非球面データ
第２面
k=-1.146
A4=4.02045e-05,A6=2.51202e-07,A8=-1.66040e-09,A10=-9.07767e-13  
第８面
k=-0.729
A4=2.32080e-05,A6=3.54887e-07  
第９面
k=0.000
A4=4.51977e-05,A6=3.40776e-07  
第１５面
k=0.000
A4=2.11001e-05,A6=-1.23026e-06  
第２１面
k=0.000
A4=-1.27345e-04,A6=1.79933e-06  
ズームデータ
広角     中間2      望遠     中間1     中間3
焦点距離           6.05     11.89     23.46      8.49     16.68
ＦＮＯ．           1.83      2.31      3.54      2.02      2.70
画角２ω          78.78     43.03     22.07     58.65     31.16
fb (in air)        2.94      2.94      2.94      2.94      2.94
全長 (in air)     70.05     57.00     67.65     60.31     58.19
d6                30.23      9.28      1.73     17.55      2.94  
d17                4.01      9.76     30.27      5.73     15.39  
d20                3.70      5.84      3.53      4.91      7.75  
d22                2.94      2.94      2.94      2.94      2.94  
群焦点距離
f1=-18.78    f2=18.72    f3=30.11    f4=208.09   
【００８１】
数値実施例３（光量低減フィルターＦが光路外に退避した状態）
単位ｍｍ
面データ
面番号      r          d         nd        νd    
物面       ∞         ∞
1      25.291      1.30     1.69350    53.21
2*     11.457      4.65
3     -91.230      1.20     1.88300    40.76
4      16.522      2.89
5      23.937      2.50     2.00069    25.46
6     156.171      可変
7(絞り)  ∞        0.34
8*     14.471      2.02     1.74320    49.34
9*    113.908      0.10
10       8.370      2.60     1.77250    49.60
11      16.442      0.80     1.78470    26.29
12       6.111      1.98
13    -140.383      0.70     1.60342    38.03
14      14.170      2.39     1.51633    64.14
15*    -17.560      0.50
16        ∞        0.10
17        ∞        可変
18      26.031      2.90     1.72916    54.68
19     -19.182      0.70     1.75520    27.51
20    -109.567      可変
21*     30.351      1.50     1.58313    59.38
22      39.738      可変
像面（撮像面）∞
非球面データ
第２面
k=-1.146
A4=4.02045e-05,A6=2.51202e-07,A8=-1.66040e-09,A10=-9.07767e-13  
第８面
k=-0.729
A4=2.32080e-05,A6=3.54887e-07  
第９面
k=0.000
A4=4.51977e-05,A6=3.40776e-07  
第１５面
k=0.000
A4=2.11001e-05,A6=-1.23026e-06  
第２１面
k=0.000
A4=-1.27345e-04,A6=1.79933e-06  
ズームデータ
広角     中間2      望遠     中間1     中間3
焦点距離           6.06     11.90     23.50      8.50     16.70
ＦＮＯ．           1.85      2.35      3.74      2.04      2.76
画角２ω          78.65     42.98     22.03     58.58     31.13
fb (in air)        2.94      2.94      2.94      2.94      2.94
全長 (in air)     70.05     57.00     67.65     60.31     58.19
d6                30.23      9.28      1.73     17.55      2.94  
d17                4.04      9.78     30.31      5.76     15.41  
d20                3.66      5.82      3.50      4.88      7.73  
d22                2.94      2.94      2.94      2.94      2.94  
群焦点距離
f1=-18.78    f2=18.72    f3=30.11    f4=208.09   
【００８２】
数値実施例４（光量低減フィルターＦが光路中に配置された状態）
単位ｍｍ
面データ
面番号      r          d         nd        νd    
物面       ∞         ∞
1*   -153.380      1.20     1.85135    40.10
2*     10.688      6.20
3      25.676      1.97     1.94595    17.98
4      65.236      可変
5(絞り)  ∞        0.34
6*     19.232      2.01     1.74320    49.34
7*   -143.531      0.10
8       7.995      2.60     1.81600    46.62
9      13.368      0.86     1.80518    25.42
10       5.940      1.98
11    -500.000      0.70     1.72151    29.23
12      13.109      2.50     1.51633    64.14
13*    -18.855      0.50
14        ∞        0.10     1.51000    57.00
15        ∞        可変
16      27.081      2.90     1.72916    54.68
17     -22.521      0.70     1.75520    27.51
18     -85.481      可変
19*     42.501      1.50     1.58313    59.38
20    5293.592      可変
像面（撮像面）∞
非球面データ
第１面
k=0.000
A4=6.37238e-05,A6=-6.54835e-07,A8=4.03157e-09,A10=-1.09254e-11  
第２面
k=-0.946
A4=5.66356e-05,A6=-2.14616e-07  
第６面
k=-1.084
A4=-1.19254e-05,A6=-5.23897e-07  
第７面
k=0.000
A4=1.80444e-06,A6=-4.52219e-07  
第１３面
k=0.000
A4=2.49051e-05,A6=-8.13475e-07  
第１９面
k=0.000
A4=-9.38811e-05  
ズームデータ
広角     中間2      望遠     中間1     中間3
焦点距離           6.05     11.88     23.46      8.49     16.70
ＦＮＯ．           1.83      2.36      3.60      2.04      2.75
画角２ω          79.55     43.09     21.99     59.01     31.06
fb (in air)        2.66      2.66      2.66      2.66      2.66
全長 (in air)     69.63     56.63     65.92     59.83     56.97
d4                32.23     10.76      2.04     19.19      3.46  
d15                4.94     11.98     31.53      7.27     17.25  
d18                3.64      5.07      3.53      4.55      7.45  
d20                2.66      2.66      2.66      2.66      2.66  
群焦点距離
f1=-19.36    f2=19.39    f3=29.27    f4=73.47   
【００８３】
数値実施例４（光量低減フィルターＦが光路外に退避した状態）
単位ｍｍ
面データ
面番号      r          d         nd        νd    
物面       ∞         ∞
1*   -153.380      1.20     1.85135    40.10
2*     10.688      6.20
3      25.676      1.97     1.94595    17.98
4      65.236      可変  
5(絞り)  ∞        0.34
6*     19.232      2.01     1.74320    49.34
7*   -143.531      0.10
8       7.995      2.60     1.81600    46.62
9      13.368      0.86     1.80518    25.42
10       5.940      1.98
11    -500.000      0.70     1.72151    29.23
12      13.109      2.50     1.51633    64.14
13*    -18.855      0.50
14        ∞        0.10
15        ∞        可変
16      27.081      2.90     1.72916    54.68
17     -22.521      0.70     1.75520    27.51
18     -85.481      可変
19*     42.501      1.50     1.58313    59.38
20    5293.592      可変
像面（撮像面）∞
非球面データ
第１面
k=0.000
A4=6.37238e-05,A6=-6.54835e-07,A8=4.03157e-09,A10=-1.09254e-11  
第２面
k=-0.946
A4=5.66356e-05,A6=-2.14616e-07  
第６面
k=-1.084
A4=-1.19254e-05,A6=-5.23897e-07  
第７面
k=0.000
A4=1.80444e-06,A6=-4.52219e-07  
第１３面
k=0.000
A4=2.49051e-05,A6=-8.13475e-07  
第１９面
k=0.000
A4=-9.38811e-05  
ズームデータ
広角     中間2      望遠     中間1     中間3
焦点距離           6.06     11.90     23.50      8.51     16.72
ＦＮＯ．           1.85      2.40      3.77      2.06      2.79
画角２ω          79.43     43.03     21.95     58.93     31.03
fb (in air)        2.66      2.66      2.66      2.66      2.66
全長 (in air)     69.63     56.63     65.92     59.83     56.97
d4                32.23     10.76      2.04     19.19      3.46  
d15                4.97     12.01     31.56      7.30     17.27  
d18                3.61      5.05      3.50      4.53      7.44  
d20                2.66      2.66      2.66      2.66      2.66  
群焦点距離
f1=-19.36    f2=19.39    f3=29.27    f4=73.47   
【００８４】
数値実施例５（光量低減フィルターＦが光路中に配置された状態）
単位ｍｍ
面データ
面番号      r          d         nd        νd    
物面       ∞         ∞
1*   -282.325      1.20     1.85135    40.10
2*     10.755      5.86
3      22.023      1.97     1.94595    17.98
4      43.142      可変  
5(絞り)  ∞        0.34
6*     25.472      1.94     1.74320    49.34
7*    -61.633      0.10
8       8.004      2.60     1.81600    46.62
9      13.838      0.72     1.76182    26.52
10       6.145      2.10
11    -100.000      0.70     1.69895    30.13
12      13.741      2.50     1.51633    64.14
13*    -17.837      0.50
14        ∞        0.07     1.59000    30.00
15        ∞        可変
16      28.330      2.90     1.72916    54.68
17     -18.314      0.70     1.75520    27.51
18     -77.317      可変
19*     25.780      1.50     1.58313    59.38
20      69.992      可変
像面（撮像面）∞
非球面データ
第１面
k=0.000
A4=6.30751e-05,A6=-4.90264e-07,A8=2.49616e-09,A10=-5.98519e-12  
第２面
k=-0.866
A4=6.88861e-05,A6=-1.04386e-07  
第６面
k=-3.859
A4=-2.73265e-05,A6=-1.72763e-06  
第７面
k=0.000
A4=-2.68318e-05,A6=-1.58231e-06  
第１３面
k=0.000
A4=3.51920e-05,A6=6.27719e-07  
第１９面
k=0.000
A4=-6.43919e-05  
ズームデータ
広角     中間2      望遠     中間1     中間3
焦点距離           6.05     11.89     23.47      8.50     16.69
ＦＮＯ．           1.83      2.35      3.57      2.04      2.73
画角２ω          79.36     43.20     22.02     59.21     31.13
fb (in air)        2.82      2.82      2.82      2.82      2.82
全長 (in air)     69.70     56.93     66.56     60.02     57.40
d4                32.32     10.98      2.33     19.36      3.75  
d15                5.32     12.40     32.18      7.65     17.65  
d18                3.53      5.02      3.52      4.48      7.48  
d20                2.82      2.82      2.82      2.82      2.82  
群焦点距離
f1=-19.40    f2=19.42    f3=29.74    f4=69.13   
【００８５】
数値実施例５（光量低減フィルターＦが光路外に退避した状態）
単位ｍｍ
面データ
面番号      r          d         nd        νd    
物面       ∞         ∞
1*   -282.325      1.20     1.85135    40.10
2*     10.755      5.86
3      22.023      1.97     1.94595    17.98
4      43.142      可変  
5(絞り)  ∞        0.34
6*     25.472      1.94     1.74320    49.34
7*    -61.633      0.10
8       8.004      2.60     1.81600    46.62
9      13.838      0.72     1.76182    26.52
10       6.145      2.10
11    -100.000      0.70     1.69895    30.13
12      13.741      2.50     1.51633    64.14
13*    -17.837      0.50
14        ∞        0.07
15        ∞        可変
16      28.330      2.90     1.72916    54.68
17     -18.314      0.70     1.75520    27.51
18     -77.317      可変
19*     25.780      1.50     1.58313    59.38
20      69.992      可変
像面（撮像面）∞
非球面データ
第１面
k=0.000
A4=6.30751e-05,A6=-4.90264e-07,A8=2.49616e-09,A10=-5.98519e-12  
第２面
k=-0.866
A4=6.88861e-05,A6=-1.04386e-07  
第６面
k=-3.859
A4=-2.73265e-05,A6=-1.72763e-06  
第７面
k=0.000
A4=-2.68318e-05,A6=-1.58231e-06  
第１３面
k=0.000
A4=3.51920e-05,A6=6.27719e-07  
第１９面
k=0.000
A4=-6.43919e-05  
ズームデータ
広角     中間2      望遠     中間1     中間3
焦点距離           6.06     11.90     23.50      8.51     16.70
ＦＮＯ．           1.85      2.39      3.74      2.06      2.77
画角２ω          79.28     43.16     21.99     59.15     31.10
fb (in air)        2.82      2.82      2.82      2.82      2.82
全長 (in air)     69.70     56.93     66.56     60.02     57.40
d4                32.32     10.98      2.33     19.36      3.75  
d15                5.35     12.41     32.21      7.67     17.66  
d18                3.51      5.01      3.50      4.46      7.46  
d20                2.82      2.82      2.82      2.82      2.82  
群焦点距離
f1=-19.40    f2=19.42    f3=29.74    f4=69.13   
【００８６】
数値実施例６（光量低減フィルターＦが光路中に配置された状態）
単位ｍｍ
面データ
面番号      r          d         nd        νd    
物面       ∞         ∞
1      24.314      1.30     1.58313    59.38
2*     12.150      4.68
3     -64.321      1.20     1.81600    46.62
4      13.543      3.20
5      22.750      2.51     2.00069    25.46
6     111.688      可変  
7(絞り)  ∞        0.34
8*     16.371      2.09     1.74320    49.34
9*   -298.832      0.10
10       7.995      2.66     1.73400    51.47
11      15.184      0.80     1.76182    26.52
12       5.954      2.05
13    -100.000      0.70     1.69895    30.13
14      15.876      2.48     1.51633    64.14
15*    -15.347      0.50
16        ∞        0.10     1.58500    30.00
17        ∞        可変
18      18.758      2.02     1.48749    70.23
19    -478.198      可変
20*     38.098      1.50     1.58313    59.38
21     484.097      可変
像面（撮像面）∞
非球面データ
第２面
k=-1.739
A4=5.40475e-05,A6=-4.01176e-08,A8=-2.19141e-09,A10=-1.10922e-11  
第８面
k=-0.988
A4=8.30299e-06,A6=8.04417e-07  
第９面
k=0.000
A4=2.97081e-05,A6=8.68368e-07  
第１５面
k=0.000
A4=2.34582e-05,A6=-6.75547e-07  
第２０面
k=0.000
A4=-1.60966e-04,A6=2.52705e-06  
ズームデータ
広角     中間2      望遠     中間1     中間3
焦点距離           6.05     11.88     23.46      8.48     16.66
ＦＮＯ．           1.83      2.34      3.51      2.04      2.75
画角２ω          78.83     42.85     22.01     58.53     31.08
fb (in air)        2.68      2.68      2.68      2.68      2.68
全長 (in air)     70.12     56.99     64.56     60.66     57.39
d6                30.94     10.33      1.86     18.60      4.06  
d17                4.14      9.90     28.22      6.01     14.91  
d19                4.12      5.84      3.55      5.14      7.51  
d21                2.68      2.68      2.68      2.68      2.68  
群焦点距離
f1=-18.61    f2=18.04    f3=37.08    f4=70.83   
【００８７】
数値実施例６（光量低減フィルターＦが光路外に退避した状態）
単位ｍｍ
面データ
面番号      r          d         nd        νd    
物面       ∞         ∞
1      24.314      1.30     1.58313    59.38
2*     12.150      4.68
3     -64.321      1.20     1.81600    46.62
4      13.543      3.20
5      22.750      2.51     2.00069    25.46
6     111.688      可変
7(絞り)  ∞        0.34
8*     16.371      2.09     1.74320    49.34
9*   -298.832      0.10
10       7.995      2.66     1.73400    51.47
11      15.184      0.80     1.76182    26.52
12       5.954      2.05
13    -100.000      0.70     1.69895    30.13
14      15.876      2.48     1.51633    64.14
15*    -15.347      0.50
16        ∞        0.10
17        ∞        可変
18      18.758      2.02     1.48749    70.23
19    -478.198      可変
20*     38.098      1.50     1.58313    59.38
21     484.097      可変
像面（撮像面）∞
非球面データ
第２面
k=-1.739
A4=5.40475e-05,A6=-4.01176e-08,A8=-2.19141e-09,A10=-1.10922e-11  
第８面
k=-0.988
A4=8.30299e-06,A6=8.04417e-07  
第９面
k=0.000
A4=2.97081e-05,A6=8.68368e-07  
第１５面
k=0.000
A4=2.34582e-05,A6=-6.75547e-07  
第２０面
k=0.000
A4=-1.60966e-04,A6=2.52705e-06  
ズームデータ
広角     中間2      望遠     中間1     中間3
焦点距離           6.06     11.90     23.50      8.49     16.68
ＦＮＯ．           1.85      2.37      3.69      2.05      2.80
画角２ω          78.70     42.79     21.97     58.45     31.04
fb (in air)        2.68      2.68      2.68      2.68      2.68
全長 (in air)     70.12     56.99     64.56     60.66     57.39
d6                30.94     10.33      1.86     18.60      4.06  
d17                4.19      9.94     28.27      6.05     14.94  
d19                4.07      5.80      3.50      5.10      7.48  
d21                2.68      2.68      2.68      2.68      2.68  
群焦点距離
f1=-18.61    f2=18.04    f3=37.08    f4=70.83   
【００８８】
数値実施例７（光量低減フィルターＦが光路中に配置された状態）
単位ｍｍ
面データ
面番号      r          d         nd        νd    
物面       ∞         ∞
1      24.308      1.30     1.58313    59.38
2*     12.456      4.68
3     -73.175      1.20     1.81600    46.62
4      12.817      2.87
5      19.872      2.63     2.00069    25.46
6      70.108      可変
7(絞り)  ∞        0.34
8*     15.669      1.99     1.74320    49.34
9*    336.460      0.10
10       8.306      2.54     1.73400    51.47
11      16.309      0.80     1.76182    26.52
12       6.314      2.02
13    -100.000      0.70     1.69895    30.13
14      19.390      2.50     1.51633    64.14
15*    -14.108      0.32
16        ∞        0.10     1.59000    30.00
17        ∞        可変
18      18.851      2.70     1.48749    70.23
19     -36.406      可変
20*    -38.875      1.00     1.58313    59.38
21        ∞        可変
像面（撮像面）∞
非球面データ
第２面
k=-1.898
A4=4.94412e-05,A6=5.12783e-08,A8=-3.52831e-09,A10=-2.63880e-12  
第８面
k=-0.869
A4=1.24216e-05,A6=1.18371e-06  
第９面
k=0.000
A4=4.55665e-05,A6=1.32355e-06  
第１５面
k=0.000
A4=2.41865e-05,A6=-8.36542e-07  
第２０面
k=0.000
A4=-1.81199e-04,A6=2.47633e-06  
ズームデータ
広角     中間2      望遠     中間1     中間3
焦点距離           6.05     11.88     23.45      8.48     16.67
ＦＮＯ．           1.85      2.32      3.65      2.03      2.70
画角２ω          78.81     42.95     22.03     58.63     31.16
fb (in air)        2.65      2.65      2.64      2.65      2.65
全長 (in air)     69.68     56.02     64.50     59.93     56.53
d6                30.78      9.72      2.00     18.19      3.25  
d17                4.50     10.25     28.52      6.47     15.64  
d19                3.95      5.60      3.53      4.82      7.20  
d21                2.65      2.65      2.64      2.65      2.65  
群焦点距離
f1=-18.42    f2=18.01    f3=25.89    f4=-66.67   
【００８９】
数値実施例７（光量低減フィルターＦが光路外に退避した状態）
単位ｍｍ
面データ
面番号      r          d         nd        νd    
物面       ∞         ∞
1      24.308      1.30     1.58313    59.38
2*     12.456      4.68
3     -73.175      1.20     1.81600    46.62
4      12.817      2.87
5      19.872      2.63     2.00069    25.46
6      70.108      可変  
7(絞り)  ∞        0.34
8*     15.669      1.99     1.74320    49.34
9*    336.460      0.10
10       8.306      2.54     1.73400    51.47
11      16.309      0.80     1.76182    26.52
12       6.314      2.02
13    -100.000      0.70     1.69895    30.13
14      19.390      2.50     1.51633    64.14
15*    -14.108      0.32
16        ∞        0.10
17        ∞        可変
18      18.851      2.70     1.48749    70.23
19     -36.406      可変
20*    -38.875      1.00     1.58313    59.38
21        ∞        可変
像面（撮像面）∞
非球面データ
第２面
k=-1.898
A4=4.94412e-05,A6=5.12783e-08,A8=-3.52831e-09,A10=-2.63880e-12  
第８面
k=-0.869
A4=1.24216e-05,A6=1.18371e-06  
第９面
k=0.000
A4=4.55665e-05,A6=1.32355e-06  
第１５面
k=0.000
A4=2.41865e-05,A6=-8.36542e-07  
第２０面
k=0.000
A4=-1.81199e-04,A6=2.47633e-06  
ズームデータ
広角     中間2      望遠     中間1     中間3
焦点距離           6.06     11.90     23.50      8.49     16.69
ＦＮＯ．           1.85      2.32      3.64      2.03      2.69
画角２ω          78.68     42.89     21.98     58.54     31.13
fb (in air)        2.65      2.65      2.64      2.65      2.65
全長 (in air)     69.68     56.02     64.50     59.93     56.53
d6                30.78      9.72      2.00     18.19      3.25  
d17                4.54     10.27     28.55      6.49     15.65  
d19                3.92      5.58      3.50      4.79      7.18  
d21                2.65      2.65      2.64      2.65      2.65  
群焦点距離
f1=-18.42    f2=18.01    f3=25.89    f4=-66.67   
【００９０】
数値実施例８（光量低減フィルターＦが光路中に配置された状態）
単位ｍｍ
面データ
面番号      r          d         nd        νd    
物面       ∞         ∞
1      34.112      1.30     1.58313    59.38
2*     12.368      3.95
3     286.673      1.20     1.81600    46.62
4      12.508      3.05
5      18.860      2.54     2.00069    25.46
6      49.543      可変  
7(絞り)  ∞        0.34
8*     14.246      2.08     1.74320    49.34
9*    110.904      0.10
10       8.707      2.65     1.73400    51.47
11      20.338      0.80     1.76182    26.52
12       6.410      2.05
13    -100.000      0.70     1.69895    30.13
14      27.183      2.47     1.51633    64.14
15*    -13.747      0.50
16        ∞        0.10     1.59000    30.00
17        ∞        可変
18*     18.255      2.02     1.48749    70.23
19    -964.851      可変
像面（撮像面）∞
非球面データ
第２面
k=-1.932
A4=5.68534e-05,A6=1.77166e-07,A8=-5.32735e-09,A10=1.25988e-11  
第８面
k=-0.653
A4=3.98657e-05,A6=1.08666e-06  
第９面
k=0.000
A4=8.14027e-05,A6=1.11740e-06  
第１５面
k=0.000
A4=1.52141e-05,A6=-7.78466e-07  
第１８面
k=0.000
A4=-1.29499e-05,A6=2.77388e-07  
ズームデータ
広角     中間2      望遠     中間1     中間3
焦点距離           6.05     11.88     23.45      8.49     16.68
ＦＮＯ．           1.83      2.29      3.35      2.01      2.66
画角２ω          78.72     43.45     22.34     59.20     31.49
fb (in air)        8.00      9.37      6.41      8.86     10.75
全長 (in air)     70.52     55.99     61.89     60.32     55.63
d6                32.62     11.03      2.22     19.68      4.45  
d17                4.05      9.74     27.42      5.93     14.58  
d19                8.00      9.37      6.41      8.86     10.75  
群焦点距離
f1=-18.82    f2=18.01    f3=36.78   
【００９１】
数値実施例８（光量低減フィルターＦが光路外に退避した状態）
単位ｍｍ
面データ
面番号      r          d         nd        νd    
物面       ∞         ∞
1      34.112      1.30     1.58313    59.38
2*     12.368      3.95
3     286.673      1.20     1.81600    46.62
4      12.508      3.05
5      18.860      2.54     2.00069    25.46
6      49.543      可変  
7(絞り)  ∞        0.34
8*     14.246      2.08     1.74320    49.34
9*    110.904      0.10
10       8.707      2.65     1.73400    51.47
11      20.338      0.80     1.76182    26.52
12       6.410      2.05
13    -100.000      0.70     1.69895    30.13
14      27.183      2.47     1.51633    64.14
15*    -13.747      0.50
16        ∞        0.10
17        ∞        可変
18*     18.255      2.02     1.48749    70.23
19    -964.851      可変
像面（撮像面）∞
非球面データ
第２面
k=-1.932
A4=5.68534e-05,A6=1.77166e-07,A8=-5.32735e-09,A10=1.25988e-11  
第８面
k=-0.653
A4=3.98657e-05,A6=1.08666e-06  
第９面
k=0.000
A4=8.14027e-05,A6=1.11740e-06  
第１５面
k=0.000
A4=1.52141e-05,A6=-7.78466e-07  
第１８面
k=0.000
A4=-1.29499e-05,A6=2.77388e-07  
ズームデータ
広角     中間2      望遠     中間1     中間3
焦点距離           6.06     11.90     23.50      8.50     16.70
ＦＮＯ．           1.85      2.34      3.60      2.04      2.74
画角２ω          78.60     43.38     22.29     59.11     31.45
fb (in air)        7.95      9.34      6.35      8.82     10.72
全長 (in air)     70.52     55.99     61.89     60.32     55.63
d6                32.62     11.03      2.22     19.68      4.45  
d17                4.10      9.78     27.48      5.97     14.61  
d19                7.95      9.34      6.35      8.82     10.72  
群焦点距離
f1=-18.82    f2=18.01    f3=36.78   
【００９２】
以上の実施例１〜８の無限遠物点合焦時の収差図をそれぞれ図９〜図２４に示す。これらの収差図において、（ａ）は広角端、（ｂ）は中間焦点距離状態、（ｃ）は望遠端における、球面収差（ＳＡ）、非点収差（ＡＳ）、歪曲収差（ＤＴ）、倍率色収差（ＣＣ）を示す。各図中、“ＦＩＹ”は最大像高を示す。“ω”は半画角を示す。
【００９３】
次に、各実施例における条件式（１）〜（８）の値を掲げる。
下記において、「Ｅ−ｎ」（ｎは整数）は、「１０−ｎ」を示している。また、項目「実施例のnd」から「材料」まで関する数値は、光量低減フィルターに関する数値である。
実施例１             実施例２             実施例３
fw            6.06                 6.06                 6.06      
ft           23.50                23.49                23.50    
変倍比        3.88                 3.88                 3.88     
Fno.(W)       1.85                 1.88                 1.85     
Fno.(T)       2.55                 2.71                 3.74     
f1           50.47                49.36               -18.78    
f2          -11.67               -10.76                18.72    
f3           16.15                15.93                30.11      
f4           29.71                24.31               208.10     
条件式(1)     1.00E-04             1.00E-05             1.00E-04  
条件式(2)     1.85                 1.88                 1.85    
条件式(3)     3.88                 3.88                 3.88   
条件式(4)     2μｍ                2μｍ                2μｍ  
条件式(5)    10×106              10×106              10×106 
条件式(6)     1.594                2.081                4.307  
条件式(7)     3.11E-03             5.48E-04             6.77E-03  
条件式(8)     3.76                 3.95                 6.99   
実施例のnd    1.59                 1.51                 1.59  
n1            1.5905               1.51005              1.5905    
n2            1.5895               1.50995              1.5895   
ｔ            0.1                  0.1                  0.1  
材料          PC                   ポリオレフィン系     PC   
実施例４             実施例５             実施例６   
fw            6.06                 6.06                 6.06     
ft           23.50                23.50                23.50     
変倍比        3.88                 3.88                 3.88    
Fno.(W)       1.85                 1.85                 1.85    
Fno.(T)       3.77                 3.74                 3.69      
f1          -19.36               -19.40               -18.61      
f2           19.39                19.42                18.04      
f3           29.27                29.74                37.08      
f4           73.47                69.13                70.83          
条件式(1)     1.00E-05             7.00E-05             1.00E-04     
条件式(2)     1.85                 1.85                 1.85     
条件式(3)     3.88                 3.88                 3.88     
条件式(4)     2μｍ                2μｍ                2μｍ    
条件式(5)    10×106              10×106              10×106 
条件式(6)     4.370                4.431                3.881   
条件式(7)     6.37E-04             4.36E-03             5.06E-03   
条件式(8)     6.45                 6.01                 7.80     
実施例のnd    1.51                 1.59                 1.585  
n1            1.51005              1.5905               1.5855   
n2            1.50995              1.5895               1.5845    
ｔ            0.1                  0.07                 0.1     
材料          ポリオレフィン系     PC                   PC    
実施例７             実施例８
fw            6.06                 6.06 
ft           23.50                23.50 
変倍比        3.88                 3.88 
Fno.(W)       1.85                 1.85 
Fno.(T)       3.64                 3.60 
f1          -18.42               -18.82 
f2           18.01                18.01 
f3           25.89                36.78 
f4          -66.67                 ----
条件式(1)     1.00E-04             1.00E-04
条件式(2)     1.85                 1.85 
条件式(3)     3.88                 3.88 
条件式(4)     2μｍ                2μｍ 
条件式(5)    10×106              10×106
条件式(6)     3.892                3.594 
条件式(7)     7.42E-03             5.89E-03
条件式(8)    11.10                 4.43 
実施例のnd    1.59                 1.59
n1            1.5905               1.5905
n2            1.5895               1.5895
ｔ            0.1                  0.1
材料          PC                   PC
【００９４】
図２５は、本発明のズームレンズを用い、撮像素子として小型のＣＣＤ又はＣＭＯＳなどを用いた撮像装置としての一眼ミラーレスカメラ１の断面図である。一眼ミラーレスカメラ１の鏡筒内には撮像レンズ系２が配置され、ボディには、撮像素子面４、バックモニタ５、カバーガラス（平行平板）Ｃが配置されている。
ここで、鏡筒にマウント部を設けて、撮像レンズ系２を一眼ミラーレスカメラ１のボディに対して着脱可能とすることもできる。このマウント部は、例えばスクリュータイプやバヨネットタイプ等のマウントを用いる。
【００９５】
このような構成の一眼ミラーレスカメラ１の撮像レンズ系２として、例えば上記実施例１〜８に示した本発明のズームレンズが用いられる。
【００９６】
図２６、図２７は、ズームレンズを撮影光学系４１に組み込んだ、本発明に係る撮像装置の構成の概念図を示す。図２６は撮像装置としてのデジタルカメラ４０の外観を示す前方斜視図、図２７は同後方斜視図である。
【００９７】
この実施形態のデジタルカメラ４０は、撮影用光路４２上に位置する撮影光学系４１、シャッターボタン４５、液晶表示モニター４７等を含み、デジタルカメラ４０の上部に配置されたシャッターボタン４５を押圧すると、それに連動して撮影光学系４１、例えば実施例１のズームレンズを通して撮影が行われる。撮影光学系４１によって形成された物体像が、結像面近傍に設けられた撮像素子（光電変換面）上に形成される。この撮像素子で受光された物体像は、処理手段によって電子画像としてカメラ背面に設けられた液晶表示モニター４７に表示される。また、撮影された電子画像は記録手段に記録することができる。
【００９８】
図２８は、デジタルカメラ４０の主要部の内部回路を示すブロック図である。なお、以下の説明では、前述した処理手段５１は、例えばＣＤＳ／ＡＤＣ部２４、一時記憶メモリ１７、画像処理部１８等で構成され、記憶手段５２は、記憶媒体部等で構成される。
【００９９】
図２８に示すように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０１００】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【０１０１】
操作部１２は、各種の入力ボタンやスイッチを備え、これらを介して外部（カメラ使用者）から入力されるイベント情報を制御部に通知する。制御部１３は、例えばＣＰＵなどからなる中央演算処理装置であって、不図示のプログラムメモリを内蔵し、プログラムメモリに格納されているプログラムにしたがって、デジタルカメラ４０全体を制御する。
【０１０２】
ＣＣＤ４９は、撮像駆動回路１６により駆動制御され、撮像光学系４１を介して形成された物体像の画素ごとの光量を電気信号に変換し、ＣＤＳ／ＡＤＣ部２４に出力する撮像素子である。
【０１０３】
ＣＤＳ／ＡＤＣ部２４は、ＣＣＤ４９から入力する電気信号を増幅し、かつ、アナログ／デジタル変換を行って、この増幅とデジタル変換を行っただけの映像生データ（ベイヤーデータ、以下ＲＡＷデータという。）を一時記憶メモリ１７に出力する回路である。
【０１０４】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【０１０５】
記録媒体部１９は、例えばフラッシュメモリ等からなるカード型又はスティック型の記録媒体を着脱自在に装着して、これらのフラッシュメモリに、一時記憶メモリ１７から転送されるＲＡＷデータや画像処理部１８で画像処理された画像データを記録して保持する。
【０１０６】
表示部２０は、液晶表示モニター４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０１０７】
このように構成されたデジタルカメラ４０は、撮影光学系４１として本発明のズームレンズを採用することで、ズーミングが可能であり、かつ、無限遠を含むフォーカシングを可能とする第１のモードと大きい撮影倍率を得ることを可能とする第２のモードとが設定可能であって、小型化と高性能化の両立に有利な撮像装置とすることが可能となる。
【産業上の利用可能性】
【０１０８】
以上のように、本発明にかかるズームレンズを備えた撮像装置は、明るい、すなわちＦｎｏの小さいズームレンズでの光量調整の際に画質の劣化の少ない高解像の画像が得たい場合に有用である。
【符号の説明】
【０１０９】
Ｇ１…第１レンズ群
Ｇ２…第２レンズ群
Ｇ３…第３レンズ群
Ｇ４…第４レンズ群
Ｓ…明るさ絞り
Ｆ…光量低減フィルター
Ｃ…カバーガラス
Ｉ…像面
１…レンズ交換式カメラ
２…撮像レンズ系
４…撮像素子面
５…バックモニタ
１２…操作部
１３…制御部
１４、１５…バス
１６…撮像駆動回路
１７…一時記憶メモリ
１８…画像処理部
１９…記憶媒体部
２０…表示部
２１…設定情報記憶メモリ部
２２…バス
２４…ＣＤＳ／ＡＤＣ部
４０…デジタルカメラ
４１…撮影光学系
４２…撮影用光路
４５…シャッターボタン
４７…液晶表示モニター
【図１】
0005715028.tif 000002
【図２】
0005715028.tif 000003
【図３】
0005715028.tif 000004
【図４】
0005715028.tif 000005
【図５】
0005715028.tif 000006
【図６】
0005715028.tif 000007
【図７】
0005715028.tif 000008
【図８】
0005715028.tif 000009
【図９】
0005715028.tif 000010
【図１０】
0005715028.tif 000011
【図１１】
0005715028.tif 000012
【図１２】
0005715028.tif 000013
【図１３】
0005715028.tif 000014
【図１４】
0005715028.tif 000015
【図１５】
0005715028.tif 000016
【図１６】
0005715028.tif 000017
【図１７】
0005715028.tif 000018
【図１８】
0005715028.tif 000019
【図１９】
0005715028.tif 000020
【図２０】
0005715028.tif 000021
【図２１】
0005715028.tif 000022
【図２２】
0005715028.tif 000023
【図２３】
0005715028.tif 000024
【図２４】
0005715028.tif 000025
【図２５】
0005715028.tif 000026
【図２６】
0005715028.tif 000027
【図２７】
0005715028.tif 000028
【図２８】
0005715028.tif 000029